(57)【要約】【課題】電池残量表示を数値で表示することが可能な警報装置を提供することを目的とする。【解決手段】警報装置の集中管理する親機３０と電池を電源とする端末群（端末機３３、３４、３５）からなり、親機に表示する端末群の電池残量を電池消耗データベース１に多段階に設定した閾値段と複数の電池消耗カーブの設定によって判断し、親機の表示画面上に該当する端末機の名称と共に電池残量を使用可能な日数等の数値で表示する。【選択図】図１
2005209064.tif 000002
【特許請求の範囲】
【請求項１】
玄関や窓の開閉を検知するセンサーを搭載した端末機Ａと、侵入者の動きを検知するセンサーを搭載した端末機Ｂと、緊急時に家人に通報する呼び出しスイッチを搭載した端末機Ｃなどからなる電池を電源とした端末群と、前記端末群と有線または無線にて接続され前記端末群を集中管理する親機とからなり、前記親機は前記端末群の電池残量を電池消耗データベースで推定して表示することを特徴とした警報装置。
【請求項２】
親機は、端末群の電池残量を数値で表示することを特徴とした請求項１に記載の警報装置。
【請求項３】
電池消耗データベースに、電池残量表示の定量表示と数値表示を区分する表示区分閾値を有する請求項１に記載の警報装置。
【請求項４】
親機は、端末群の電池残量表示を行うための電池残量確認スイッチを有することを特徴とする請求項１〜３のいずれか１項に記載の警報装置。
【請求項５】
電池消耗データベースに、多段階に設定した閾値段と複数の電池消耗カーブを有し、電池残量表示の補正を行う請求項１〜３のいずれか１項に記載の警報装置。
【請求項６】
電池消耗データベースに、音声による報知を行うための判定を行う音声報知閾値を有する請求項１〜３のいずれか１項に記載の警報装置。
【請求項７】
電池消耗データベースに、端末群に電池交換を報知するための判定を行う端末機表示閾値を有する請求項１〜３のいずれか１項に記載の警報装置。
【請求項８】
電池消耗データベースに、親機の表示画面上に端末群の電池交換表示を常時行うための判定を行う常時表示閾値を有する請求項１〜３のいずれか１項に記載の警報装置。
【発明の詳細な説明】
【技術分野】
【０００１】
本発明は、玄関や窓の開閉を検知するセンサーを搭載した端末機や、侵入者に対する検知センサーを搭載した端末機や、お年寄りが緊急時に家人に通報するためのスイッチを搭載した端末機と、これらの各種端末と有線や無線で接続され、の運転、設定、表示などを集中管理するコントローラーの親機からなる、家庭内警報装置で、各種端末の電源である電池残量の表示に関するものである。
【背景技術】
【０００２】
従来、電池を電源として駆動する多くの端末機は電池が無くなると端末機本体にＬＥＤなどで表示したり、親機に電池の交換を促す文言を表示したり、イラストで３本から２本、１本と電池電圧の残量低下を表示して報知している（例えば、特許文献１参照）。
【０００３】
図３は従来の家庭内警報装置の全体構成図で親機に表示された電池電圧低下に伴う電池交換を促す表示内容の一例を表す。また、図４に携帯電話の充電残量表示例を示す。
【０００４】
図３に示すように家庭内警報装置を集中管理するコントローラー親機３０の正面には各種運転スイッチ類３１と表示画面３２がある。表示画面３２はタッチパネル式で構成され、その画面に沿ってタッチすると画面上での設定操作も可能である（図示せず）。
【０００５】
親機３０には有線や無線で窓の開閉を検知するセンサーを搭載した端末機Ａ３３や、侵入者の動きを検知する赤外線式センサーを搭載した端末機Ｂ３４や、お年寄りや体の不自由な人が緊急時に家人に通報する呼び出しスイッチを搭載した端末機Ｃ３５が接続されている。
【０００６】
各種端末機は１台の親機３０に複数個の設置が可能で総称して説明する場合は端末群と言う。
【０００７】
また親機３０は電話回線３６との接続で外部電話３８への通報や、サーバー３７との契約でＬＡＮと接続して登録した携帯電話３９への通報が可能である。
【０００８】
各端末群と親機３０の動作の一例を説明すると、窓枠に設置したリードスイッチ４０と窓の可動部に設置したマグネット４１があり、侵入者が窓を開けるとリードスイッチ４０からマグネット４１が離れたことをセンサーが検知し、端末機Ａ３３から親機３０に信号が送られる。
【０００９】
親機３０は窓の開閉があったことを警報音の発報で在宅中の家人に知らせたり、留守中の場合は登録した外部電話３８や携帯電話３９への通報をおこなう。
【００１０】
通報者は、親機３０を介して威嚇したり、近所や、警察に通報することで被害を未然に防ぐ事ができる。
【００１１】
端末機Ｃ３５はお年寄りや、体の不自由な方が身体の調子が思わしくない時にスイッチを操作すると親機３０は通報を受けて、家人に知らせることで迅速な対応が出来る。
【００１２】
親機３０はＡＣ電源４２で作動するが、各端末群は電池など４３で駆動している。
【００１３】
電池電圧が低下すると表示画面３２上に端末群の名称と電池交換の文言４４が表示される。
【００１４】
電池交換の文言としての一例は「端末機○○の電池を交換ください。」である。
【００１５】
使用者はこの文言４４により該当する端末機の電池交換を認識するが、すぐに電池がなくなることはなく、表示画面３２に表示された電池残量認識スイッチ４５を操作する。
【００１６】
電池交換の文言４４は消え該当する端末機の使用が継続的に可能になる。
【００１７】
電池交換認識スイッチ４５の操作で継続した使用が可能になっても親機３０は定期的に該当する端末機の電池交換の文言４４を再度表示し確実に交換を促すようになっている。
【００１８】
図４は携帯電話の充電残量を表示する絵表示４６の一例で、フル充電の場合は３本（図４（ａ））、それが２本（図４（ｂ））、１本（図４（ｃ））と減ってきて使用者に充電の必要性を報知するもので、電池を使用した機器でで電池残量の絵表示を使用する場合は多くがこのような表示を用いている。
【特許文献１】特開２００２−０５６９０１号公報
【発明の開示】
【発明が解決しようとする課題】
【００１９】
しかしながら、従来の親機３０の表示画面３２上に表示された電池交換を知らせする文言４４が表示されても、電池交換認識スイッチ４５を操作することで継続的に使用が可能となる。
【００２０】
電池に関しては、バラツキの発生する要因が多く、電池残量表示には、おのずと余裕を盛りこんだ設定にしている例が多い。
【００２１】
また図４の絵表示４６では、使用者は残量が１本になってからどの程度の期間使用できるかの判断することが困難である。
【００２２】
これらは、前述する電池のバラツキ要因を大きく設定し、電池残量を表示する閾値を高く設定していることが原因で電池交換の表示が出てから１ヶ月程度使用できる例も多くある。
【００２３】
日々使用する機器の電池交換は多少の余裕を設けても使用中に音が変化したり、電池が無くなってもその時点で電池交換すればすぐに使用が可能となるため、従来の方式で問題はない。
【００２４】
近年、普及が始った家庭内警報装置で設置する端末群は、従来の電池残量表示方式を取り入れても、電池交換寿命が１年以上あるため、初めて電池交換表示の文言４４が現れても使用できなくなるまでの判断があいまいになる。
【００２５】
また、前述した過去の商品のように１ヶ月程度の余裕を有していると、ついつい電池交換の時期が遅れてしまう可能性がある。
【００２６】
電池交換の文言４４が表示されるようになった状態で継続的に使われた場合を想定してみると下記のような事例が発生する。
【００２７】
（１）長期の外出中に電池が無くなると窓から不審者が侵入しても電池の電圧低下で端末機３３が機能せず外部への通報ができず、最悪の結果を招くことになる。
【００２８】
（２）端末群が侵入者を検知しても警報発報音の音量が低く警報にならない。
【００２９】
（３）お年寄りが緊急通報のためスイッチを押しても端末機３５の電池切れで作動しないため迅速な対応が出来ない。
【００３０】
従って、これら家庭内警報装置の端末群では、電池残量表示は従来とは違い確実に電池交換を実施して貰う必要がある。
【００３１】
本発明は、確実な電池交換を使用者に行って貰うために、電池残量表示を正確に必要によっては、数値で表示することが可能な警報装置を提供することを目的とする。
【課題を解決するための手段】
【００３２】
上記課題を解決するため、本発明の電池残量表示は親機に表示する端末群の電池残量を電池消耗データベースに多段階に設定した閾値段と複数の電池消耗カーブによって、親機の表示画面上に該当する端末機の名称と電池交換の文言「端末機○○電池残量はあと△△日」と数値化された具体的な日数で表示する事が可能になる。
【発明の効果】
【００３３】
本発明によれば、家庭内を有線や無線で接続した家庭内警報装置で各種センサーや呼び出しスイッチなどを搭載した端末群を集中管理する親機に各種端末の電池残量を数値化して数字で表示する。
【００３４】
これにより親機に表示する電池残量が数字として表示されるため、電池残量の確認が容易になり、家庭内警報装置として電池の交換遅れから発生する不測の事態を回避できる。
【発明を実施するための最良の形態】
【００３５】
第１の発明は、玄関や窓の開閉を検知するセンサーを搭載した端末機Ａと、侵入者の動きを検知するセンサーを搭載した端末機Ｂと、緊急時に家人に通報する呼び出しスイッチを搭載した端末機Ｃなどからなる電池を電源とした端末群と、前記端末群と有線または無線にて接続され前記端末群を集中管理する親機とからなり、前記親機は前記端末群の電池残量を電池消耗データベースで推定して表示することを特徴としたもので、親機で表示する各端末機の電池残量表示を電池消耗データベースに基づき行うことで、正確な表示を行うことが出来る。
【００３６】
第２の発明は、特に第１の発明の親機は端末群の電池残量を数値で表示することを特徴としたもので、親機に表示する電池残量は具体的な数字の確認が可能となり、電池交換の日時が明確になり端末群の電池切れが回避でき、例えば１０日間の旅行に出発する時に電池電圧の残量が８日間と表示されていれば事前に電池の交換をしてから出発する事ができるなど、従来の課題を解決することが出来る。
【００３７】
第３の発明は、特に第１の発明の電池消耗データベースに、電池残量表示の定量表示と数値表示を区分する表示区分閾値を有するもので、使用者に３６５日とか１９６日等と大きな電池残量表示は避け、１年から数ヶ月は従来の絵表示の様に定量的に表し、１ヶ月未満から数値化して表示することで、理解しやすい表示を提供することができる。
【００３８】
第４の発明は、特に第１〜３のいずれか１つの発明の親機を、端末群の電池残量表示を行うための電池残量確認スイッチを有したものとし、端末群の電池残量表示は前記親機に設置した電池残量確認スイッチの操作で前記親機の画面上に表示することを可能としたもので、使用者の要求で自宅を留守にする時の事前操作で、留守中の電池残量を確認できる。通常時の電池残量表示は定期的に表示することになるが、使用者の要求した時に確認できる使い勝手のよい商品の提供ができる。
【００３９】
第５の発明は、特に第１〜３のいずれか１つの発明の電池消耗データベースに、多段階に設定した閾値段と複数の電池消耗カーブを有し電池残量表示の補正を行うので、電池の特性、使用環境の変化や、端末機毎の使用頻度に適合したよる電池残量カーブに補正した電池残量を表示できる。
【００４０】
第６の発明は、特に第１〜３のいずれか１つの発明の電池消耗データベースに、音声による報知を行うための判定を行う音声報知閾値を有するもので、親機に電池電圧低下の文言だけでなく音声による報知で、使用者に判りやすい報知を提供する。
【００４１】
第７の発明は、特に第１〜３のいずれか１つの発明の電池消耗データベースに、端末群に電池交換を報知するための判定を行う端末機表示閾値を有するもので、親機に表示した端末群の電池電圧の低下した当該の端末機を報知手段で示すことで、端末群の中から該当する端末機の選択が容易になり電池交換がすばやくできる。
【００４２】
第８の発明は、特に第１〜３のいずれか１つの発明の電池消耗データベースに、親機の表示画面上に端末群の電池交換表示を常時行うための判定を行う常時表示閾値を有するもので、定期的な表示より使用者への報知が確実におこなえる。
【００４３】
以下、本発明の実施の形態について、図面を参照しながら説明する。なお、この実施の形態によって本発明が限定されるものではない。
【００４４】
（実施の形態１）
図１は本発明の実施の形態１の全体構成図を示す。従来例と同じ符号は同一機能をあらわす。
【００４５】
図１において、家庭内警報装置の集中管理するコントローラーである親機３０の正面には各種運転スイッチ類３１と表示画面３２を備える。表示画面３２はタッチパネル式で構成され、その表示画面３２に沿ってタッチすると画面上での設定操作が可能になる。
【００４６】
親機３０には有線または無線で窓の開閉を検知するセンサーを搭載した端末機Ａ３３や、侵入者の動きを検知する赤外線式センサーを搭載した端末機Ｂ３４や、お年寄りや体の不自由な人が緊急時に家人に通報する呼び出しスイッチを搭載した端末機Ｃ３５などを複数個、接続して家庭内の警報装置となる。
【００４７】
また親機３０は電話回線３６との接続やサーバー３７との契約でＬＡＮと接続が可能で、登録した外部電話３８や携帯電話３９への通報が可能になる。
【００４８】
各端末群と親機３０の動作の一例を説明すると、窓枠に設置したリードスイッチ４０と窓の可動部に設置したマグネット４１があり侵入者が窓を開けるとリードスイッチ４０からマグネット４１が離れたことをセンサーが検知し、端末機Ａ３３から親機３０に信号が送られる。次に、親機３０は窓の開閉があったことを警報音の発報で在宅中の家人に知らせる。
【００４９】
また、留守中の場合は登録した外部電話３８や携帯電話３９への通報をおこなうことにより、通報を受けた者は、外出先から親機３０を介して侵入者を威嚇することや、近所や、警察に通報することで被害を未然に防ぐ事ができる。
【００５０】
端末機３５の場合はお年寄りや、体の不自由な方からの通報を受けて、迅速な対応が出来る。
【００５１】
親機３０はＡＣ電源４２で作動するが、各端末群は電池４３を電源としており、電池電圧が低下すると表示画面３２上に端末群の名称と電池交換の文言４４Ｂが表示される。
【００５２】
このときに表示画面３２に表示される電池交換の文言４４Ｂは「端末機○○電池交換してください。」ではなく、一例として「端末機Ａ、電池残量はあと２５日」の様に使用可能な時間を数値化された具体的な日数で表示する。
【００５３】
図２は電池残量の数値化を実現する電池消耗データベース１を示したもので、縦軸２は電池電圧、横軸３は時間経過を示す。
【００５４】
図に示すように、電池電圧は時間経過と共に低下するため右肩下がりを示す。電池の電圧低下カーブの傾きは端末群の消費する電流で決まるもので、端末群が何も作動しない待機状態ならば消費する電流も少なくカーブの傾きはなだらかな待機電池消耗カーブ４になる。
【００５５】
しかし、端末機Ａ３３は窓の開閉を検知して作動したり、ブザーなどの警報音を報知したり、端末機Ｃ３５は呼び出しスイッチの作動やＬＥＤの表示で、電池を消耗しカーブの傾きは待機電池消耗カーブ４より傾きの大きな動作電池消耗カーブ５になる。
【００５６】
これらの傾きは開発段階で、論理的に把握した傾きであり、実際に端末群が作動される回数を想定した標準電池消耗カーブ６を決定し電池寿命の算出を行う。
【００５７】
縦軸２は電池電圧で多段階に閾値を設定し電池消耗カーブ類を監視する。
【００５８】
リセット閾値７は端末機を安定した状態で停止させるために設定したリセット電圧で電池電圧がこの閾値になると端末機は停止する。
【００５９】
端末機が停止する前に電池交換が必要でリセット閾値７の上位に電池交換最終閾値８と電池残量表示閾値９を設定する。
【００６０】
標準電池消耗カーブ６が電池残量表示閾値９に到達すると親機３０の表示画面３２に電池残量表示を開始する。
【００６１】
電池交換最終閾値８は電池残量を表示する最終閾値で端末機が停止するリセット閾値７より上位に設定する。
【００６２】
そして、上記の電池消耗データベース１上で電池残量表示閾値９から電池交換最終閾値８までの標準電池消耗カーブ６の到達時間を判定することで、電池残量を計算し親機３０の表示画面上３２に電池交換の文言４４Ｂ「端末機Ａ３３電池残量４日」と具体的な残数字で表示を行うことができる。なお、「端末機３３電池残量４〜６日」と幅を持たせた表示でもよい。
【００６３】
以上のように本実施の形態によれば、親機に表示する電池残量を数字で表示することが可能となり、電池交換をうながす文言がより具体的に使用者に表示できるので、外出中に発生する端末群の電池切れが回避できる。
【００６４】
即ち、例えば１０日間の旅行に出発する時に電池電圧の残量が８日間と表示されていれば事前に電池の交換をしてから出発する事ができ、使用者に安心感と使い勝手のよい商品を提供できる。
【００６５】
さらに、特定の閾値を境に、絵表示による定量的な表示と数値表示とを切り替えるようにしても良い。即ち、図２で、電池消耗データベース１で縦軸２の電池電圧には多段階に設定した閾値段により電池残量を表示する閾値に標準電池消耗カーブ６が到達すると表示画面３２上に従来の定量化した絵表示を表示し、表示区分閾値Ａに到達すると表示画面３２上に数値化した表示をする。なお、この表示区分閾値Ａは使用者がスイッチ等で任意に選択するようにしも良い。
【００６６】
これにより使用者に電池残量３６５日とか１９６日などと大きな表示は避け、１年から数ヶ月は従来の絵表示の様に定量的に表し、１ヶ月未満から数値化することで判りやすい表示を提供することが可能となる。
【００６７】
また、本実施の形態は、電池を電源とする一般の機器への展開も容易で電池残量を絵表示でなく数字で表示することで使い勝手の向上した商品を提供できる。
【００６８】
さらに、親機３０のスイッチ類３１には電池残量確認スイッチ３１Ｂを有しており、この電池残量確認スイッチ３１Ｂの操作により端末機ごとの電池残量を表示画面３２に表示する。なお、この電池残量確認スイッチ３１Ｂは、表示画面３２上に設けたタッチパネル式のものでもよい。
【００６９】
図１で操作された電池残量確認スイッチ３１Ｂに対応し図２の電池消耗データベース１から該当する端末機の標準電池消費カーブ６の電池電圧から電池交換最終閾値８までの電圧差から、電池残量計算が可能になり、数字で表示画面３２上への表示が可能になる。
【００７０】
これにより、使用者の要求で自宅を留守にする時の事前操作で、留守中の電池残量を確認できる。
【００７１】
なお、通常は電池残量表示は定期的に表示することとなるが、使用者のスイッチ操作による要求時に確認できる使い勝手の良い商品の提供ができる。
【００７２】
また、図２で電池消耗データベース１には縦軸２の電池電圧にリセット閾値７や電池交換最終閾値８、電池残量表示閾値９など、多段階に設定した閾値段と標準電池消耗カーブ６など、複数の電池消耗カーブで電池残量を補正する機能を有している。
【００７３】
端末群の作動する頻度が多く、開発段階で設定した標準電池消耗カーブ６に補正が必要な時、また、使用環境の変化（電池は室温が低いと内部抵抗が大きくなり消耗が早くなると言われている。従って九州と北海道ではその寿命に影響が発生し得る）や、海外メーカーの電池によって日本製との電池消耗カーブが異なる時、その補正をおこなう。
【００７４】
補正は電池消耗データベース１上の縦軸２の電池電圧に設定した補正閾値１０の交点から補正閾値１１の交点までの標準電池消耗カーブ６が到達する時間（Ｔ）を設定しておき、実際に到達した時間（Ｔ１）とのズレから使用頻度や、内部抵抗の大きさなどで電池の種類や、使用温度などの実際に使用される環境情報を入手する。
【００７５】
補正は開発段階で設定した標準電池消耗カーブ６のほかに、多くの電池消耗カーブから実際の電圧低下に適合した標準電池消耗カーブ６Ｂへの補正をおこない電池残量を表示する。なお、補正手段はプログラムに入力されたものである。
【００７６】
また電池消耗カーブ類を用いなくても、電池電圧の絶対値を用いて電池残量表示を算出することが可能となる。
【００７７】
これにより電池の特性、使用環境の変化、海外メーカー製など、電池に関する多くのバラツキや、端末機毎の使用実態のデータ不足をカバーした補正で電池残量を表示できる。
【００７８】
また、図２の電池消耗データベース１で縦軸２の電池電圧には多段階に設定した閾値段の音声報知閾値Ｂで音声による報知をおこなう様にしている。この音声報知閾値Ｂは電池残量を表示する最終閾値の電池交換最終閾値８同一としてもよい。
【００７９】
これにより、図１で親機３０の表示画面３２上に電池交換の文言だけでなく、音声で報知するため使用者への報知がよりきめこまかくできる。報知手段としてはブザー或いは音声合成などによる。
【００８０】
また、音声の他に、表示画面３２上の文言に色表示の変化で報知することも容易におこなえる。
【００８１】
また、図２の電池消耗データベース１で縦軸２の電池電圧には多段階に設定した閾値段の端末機表示閾値Ｃで端末群の中から電池交換が必要な端末機を報知するようにしている。なお、報知手段はＬＥＤなどの点滅による（図示せず）。
【００８２】
これにより、複数個設置した各端末機の中から電池交換の必要な端末機の選択が容易におこなえる。
【００８３】
さらに、図２の電池消耗データベースの常時表示閾値Ｄで親機３０の表示画面３２上の一部に端末群の電池残量表示を常時表示するようにしている。
【００８４】
これにより定期的に電池残量を表示するより、使用者への報知が確実におこなえる。
【産業上の利用可能性】
【００８５】
以上のように、本発明にかかる警報装置によれば、有線または無線で接続された端末群の電池残量を数値化して表示できるので、複数の電池機器を管理する親機に応用できる。
【図面の簡単な説明】
【００８６】
【図１】本発明の実施の形態１の家庭内警報装置の全体構成図
【図２】本発明の実施の形態１の家庭内警報装置の電池消耗データベースを示すグラフ
【図３】従来の家庭内警報装置の全体構成図
【図４】従来の電池残量表示図
【符号の説明】
【００８７】
１  電池消耗データベース
３０  親機
３１  スイッチ類
３１Ｂ  電池残量確認スイッチ
３２  表示画面
３３  端末機Ａ
３４  端末機Ｂ
３５  端末機Ｃ
４３  電池
【図１】
2005209064.tif 000003
【図２】
2005209064.tif 000004
【図３】
2005209064.tif 000005
【図４】
2005209064.tif 000006